(57)【要約】【課題】太陽光発電モジュールを引き起こすだけの作業で、発電に必要な付属機器類のメンテナンスや修理が簡単に行える太陽光発電モジュールの設置構造を提供する。【解決手段】太陽光発電モジュール１の四周縁を囲むように設けた周縁枠２と、前記太陽光発電モジュール１の周縁枠２を支持する枠状に形成され、太陽光発電モジュール１を設置するため建物側に固定配置される架台３とからなり、前記周縁枠２の一辺と架台３の一辺を、周縁枠２の一辺を形成する枠材２ａの下部に設けた円軸部５と、前記架台３の一辺を形成する枠材３ａの上部に、前記円軸部５が径方向に対して抜け止め状態で回転可能に嵌合するよう設けた欠円形溝６の組み合わせによって形成されヒンジ機構４で結合し、前記太陽光発電モジュール１を架台３に対して起伏動可能とした。【選択図】図１
2012104786.tif 000002
【特許請求の範囲】
【請求項１】
太陽光発電モジュールの四周縁を囲むように設けた周縁枠と、前記太陽光発電モジュールの周縁枠を支持する枠状に形成され、太陽光発電モジュールを設置するため建物側に固定配置される架台とからなり、
前記周縁枠の一辺と架台の一辺をヒンジ機構で結合し、このヒンジ機構を支点にして前記太陽光発電モジュールを架台に対して起伏動可能となるよう取付けた太陽光発電モジュールの設置構造。
【請求項２】
上記周縁枠の形成に用いる枠材と架台の形成に用いる枠材が、アルミの押出形材で形成され、上記ヒンジ機構が、前記周縁枠の一辺を形成する枠材の下部に設けた円軸部と、前記架台の一辺を形成する枠材の上部に、前記円軸部が径方向に対して抜け止め状態で回転可能に嵌合するよう設けた欠円形溝の組み合わせによって形成されている請求項１に記載の太陽光発電モジュールの設置構造。
【発明の詳細な説明】
【技術分野】
【０００１】  この発明は、フラットルーフに太陽光発電モジュールを設置する場合に、太陽光発電モジュールを起伏動可能な可動式にし、メンテナンス作業を容易に行うことができるようにした太陽光発電モジュールの設置構造に関する。
【背景技術】
【０００２】  従来、建物のフラットルーフ（陸屋根）に対して太陽光発電装置である太陽光発電モジュールを設置する場合、建物側に各種形材を用いて組み立てた枠状の架台を固定配置し、四周縁を断面コ字形の周縁枠で囲んだ太陽光発電モジュールを架架前記台の上に設置し、前記四周縁の周囲複数箇所を金物で架台に固定することにより、架台上に太陽光発電モジュールを配置する構造が採用されている（例えば特許文献１参照）。
【先行技術文献】
【特許文献】
【０００３】
【特許文献１】  特開２００２−２９４９５６号公報
【発明の概要】
【発明が解決しようとする課題】
【０００４】  ところで、フラットルーフに太陽光発電モジュールを設置した場合、この太陽光発電モジュールの下部に生じた空間に発電に必要な付属機器等を配置することになり、これらの付属機器等は、定期的なメンテナンスや故障発生時の修理が必要になる。【０００５】  しかし、架台に対して太腸光発電モジュールが固定化された従来の構造では、架台が邪魔になって太陽光発電モジュールの下に作業員が直接侵入することができず、このため、メンテナンス時や修理時は、太陽光発電モジュールを架台から取り外さなければならず、メンテナンスや修理に時間と手間がかかるという問題がある。【０００６】  そこで、この発明の課題は、架台に対して太陽光発電モジュールを起伏動可能な可動式に取付け、太陽光発電モジュールを引き起こすだけの作業で、発電に必要な付属機器等のメンテナンスや修理が簡単に行える太陽光発電モジュールの設置構造を提供することにある。
【課題を解決するための手段】
【０００７】  上記のような課題を解決するため、この発明は、太陽光発電モジュールの四周縁を囲むように設けた周縁枠と、前記太陽光発電モジュールの周縁枠を支持する枠状に形成され、太陽光発電モジュールを設置するため建物側に固定配置される架台とからなり、前記周縁枠の一辺と架台の一辺をヒンジ機構で結合し、このヒンジ機構を支点にして前記太陽光発電モジュールを架台に対し、起伏動可能となるよう取付けたものである。【０００８】  上記周縁枠の形成に用いる枠材と架台の形成に用いる枠材が、アルミの押出形材で形成され、上記ヒンジ機構が、前記周縁枠の一辺を形成する枠材の下部に設けた円軸部と、前記架台の一辺を形成する枠材の上部に、前記円軸部が径方向に対して抜け止め状態で回転可能に嵌合するよう設けた欠円形溝の組み合わせによって形成されている構造とすることができる。【０００９】  ここで、上記周縁枠の形成に用いる枠材は、太陽光発電モジュールの厚みに対して外嵌する断面コ字状とし、所定大きさを有する太陽光発電モジュールの四周縁に嵌め込んで枠状に結合することで太陽光発電モジュールの補強となる周縁枠となり、この周縁枠の一辺となる枠材には、下部に円軸部が長さ方向の全長にわたって設けられている。【００１０】  また、架台の形成に用いる枠材は、枠状に組み立てることによって建物のフラットルーフに設置することができる断面形状を有し、架台の一辺となる枠材における上部の内側コーナ部分に、半円形強の内周を有し、上面から内側の範囲で開放する断面形状の欠円形溝が長さ方向の全長にわたって設けられ、架台の前記欠円形溝に一方の端部から周縁枠の円軸部を挿入すれば、ヒンジ機構が組立てられ、架台に対して太陽光発電モジュールは、円軸部を中心に起伏動可能となるよう取り付けられる。【００１１】  上記太陽光発電モジュールの起伏動角度は、周縁枠の枠材に設ける円軸部の位置や架台の枠材に設ける欠円形溝の開口幅を選択することにより、架台上に水平に伏倒する状態からメンテナンス作業が行える範囲の角度で起伏動させることができる。
【発明の効果】
【００１２】  この発明によると、架台を形成する枠材の一辺と、太陽光発電モジュールの四周縁を囲む周縁枠の一辺とをヒンジ機構で結合し、このヒンジ機構を支点にして前記太陽光発電モジュールを架台に対して起伏動可能となるよう取付けたので、太陽光発電モジュールの下部空間に配置された付属機器等の定期的なメンテナンスや故障発生時の修理が、太陽光発電モジュールを引き起こすだけで可能となり、架台から太陽光発電モジュールを取外す作業が省けるので、作業の省力化と簡略化及び能率向上が図れることになる。
【図面の簡単な説明】
【００１３】
【図１】（ａ）はこの発明の設置構造を用いて太陽光発電モジュールを建物のフラットルーフに設置した状態を示す斜視図、（ｂ）は太陽光発電モジュールを引き起こした状態の斜視図
【図２】（ａ）はこの発明の設置構造の要部を拡大して示す太陽光発電モジュールの水平状態での断面図、（ｂ）は同じく太陽光発電モジュールを引き起した状態での断面図
【発明を実施するための形態】
【００１４】  以下、この発明の実施の形態を添付図面に基づいて説明する。
【００１５】  図１（ａ）に示すように、所定の平面的な大きさを有する太陽光発電モジュール１は、四周縁が補強となる周縁枠２によって囲まれ、この周縁枠２の形成に用いる枠材２ａは太陽光発電モジュールの厚みに外嵌する断面コ字状となり、太陽光発電モジュールの四周縁に嵌め込んで枠状に結合するようになっている。
【００１６】  上記太陽光発電モジュール１を建物のフラットルーフに設置するための架台３は、前記太陽光発電モジュール１の周縁枠２を支持することのできる大きさの枠状に形成され、この架台３の形成に用いる枠材３ａは、建物のフラットルーフに設置することができる断面形状を有している。
【００１７】  上記太陽光発電モジュール１の周縁枠２に用いる枠材２ａと架台３の形成に用いる枠材３ａは、例えば、共にアルミの押出形材で形成され、前記太陽光発電モジュール１の周縁枠２における一辺の枠材２ａと架台３の一辺における枠材３ａは、両枠材２ａと３ａに設けたヒンジ機構４によって結合され、これにより、架台３の上に設置した太陽光発電モジュール１は、架台３に対してヒンジ機構４を支点とする起伏動可能な可動式になっている。
【００１８】  上記ヒンジ機構４は、図１（ｂ）と（ｃ）のように、周縁枠２の一辺を形成する枠材２ａの下部長さ方向に沿って設けた円軸部５と、前記架台３の一辺を形成する枠材３ａの上部で、架台３の内側コーナ部分に、前記円軸部５が径方向に対して抜け止め状態で回転可能に嵌合するよう設けた欠円形溝６の組み合わせによって形成されている。
【００１９】  上記周縁枠２の枠材２ａに対して円軸部５は、この枠材２ａの下部から外向きに屈曲するよう設けたＬ形の逃がし腕７の下端に連成され、また、架台３の枠材３ａに設けた欠円形溝６は、円軸部５が納まる半円形強の内周を有し、上面から内側の範囲で開放する断面形状となり、架台３の前記欠円形溝６に一方の端部から周縁枠２の円軸部５を挿入すれば、ヒンジ機構４が組立てられ、架台３に対して太陽光発電モジュール１は、円軸部５を中心に起伏動可能となるよう取り付けられることになる。
【００２０】  図示の場合、上記ヒンジ機構４は。太陽光発電モジュール１の起伏動角度を、架台３上に水平に伏倒する太陽光発電モジュール１を直角の角度で起立させることができるようにしたが、周縁枠２の枠材２ａに設ける円軸部５の位置や架台３の枠材３ａに設ける欠円形溝６の開口幅を選択することにより、メンテナンス作業が架台３で囲まれた空間の上部から支障なく行える４５°程度から１８０°の範囲で起伏角度を設定することができる。
【００２１】  この発明の太陽光発電モジュール１の設置構造は上記のような構成であり、建物のフラットルーフ上に架台３を設置し、この架台３上に太陽光発電モジュール１を載置し、太陽光発電モジュール１の周縁枠２を形成する枠材２ａに設けた円軸部５を、架台３の枠材３ａに形成した欠円形溝６に一方の端部から挿入し、ヒンジ機構４を組立てて結合することにより、架台３に対して太陽光発電モジュール１を取付ける。
【００２２】  通常の発電時における太陽光発電モジュール１は、図１（ｂ）のように、架台３上に略水平状態や緩い傾斜角度の配置で支持し、太陽光発電モジュール１の周縁枠２と架台３の重なり合う三辺は、図示省略したが既存の締結金物を用いて結合する。
【００２３】  上記のような配置状態において、太陽光発電モジュール１の下部で架台３によって囲まれた部分が空間となり、この空間に発電のための付属機器類が収納され、これら付属機器類の定期的なメンテナンスや故障発生時には、上記した締結金物を取外した後、ヒンジ機構４を支点にして太陽光発電モジュール１を架台３の上に引き起こし、架台３で囲まれた空間の上部を開放するようにすればよく、開放した部分から前記空間内の付属機器類に対して修理やメンテナンス作業が支障なく行えることになる。
【００２４】  修理やメンテナンスの作業が終れば、太陽光発電モジュール１を架台３の上に伏倒させ、周縁枠２と架台３の重なり合う三辺を締結金物で結合して作業の全工程が終了することになり、上記したように、付属機器類のメンテナンスや修理を行う場合に、架台３から太陽光発電モジュール１を取外す必要はなく、太陽光発電モジュール１を起伏動させるだけでよいので、作業の省力化と簡略化及び能率向上が図れることになる。
【符号の説明】
【００２５】１        太陽光発電モジュール
２        周縁枠
２ａ      枠材
３        架台
３ａ      枠材
４        ヒンジ機構
５        円軸部
６        欠円形溝
７        逃がし腕
【図１】
2012104786.tif 000003
【図２】
2012104786.tif 000004